(57)【特許請求の範囲】
【請求項１】
膨張用ガスの流入時、シートに着座した乗員の左右の脚部の間付近の収納部位から上方側へ展開膨張して、前方側へ移動する乗員を受け止め可能に膨張を完了させ、膨張用ガスを流入させるための流入用開口を有した底壁部を、前記収納部位に連結保持させて配設されるエアバッグと、
膨張完了時の前記エアバッグの前面側を支持可能に、前記エアバッグの前方側に配置される支持材と、
を備えて構成されるとともに、
膨張完了時の前記エアバッグの外周側における前面側の上部と前記支持材の上部とを連結する連結ベルトが配設され、
前記エアバッグが、
前記連結ベルトを利用して前記支持材を引き上げる駆動源として、前記支持材を収納部位側から上方へ突出させるように前記支持材を引き上げ可能に、前記エアバッグの膨張完了時の前面側に配置されるとともに前壁側の上部に前記連結ベルトを連結させて配設され、かつ、前記流入用開口を配設させた前記底壁部を有して膨張用ガスの流入当初時に最先に膨張を完了させる一次膨張バッグ部と、
膨張完了時の前記一次膨張バッグ部の周囲に配置されて、前記一次膨張バッグ部から膨張用ガスを流入させる供給口を有し、該供給口からの膨張用ガスにより膨張を完了させて、前記一次膨張バッグ部と共に、前記エアバッグの膨張完了形状を構成する二次膨張バッグ部と、
を備えて構成される自動二輪車用エアバッグ装置であって、
前記エアバッグの前記供給口が、前記一次膨張バッグ部と前記二次膨張用バッグ部とを区画する区画壁に配設されて、
前記供給口が、膨張完了時の前記エアバッグの前記底壁部からの高さ位置を、膨張完了時の前記一次膨張バッグ部の上端より下方であって、引き上げ完了時の前記支持材における前記連結ベルトとの連結部位と同等の高さ位置として、前記区画壁に配設されていることを特徴とする自動二輪車用エアバッグ装置。
【請求項２】
前記供給口が、
引き上げ完了時の前記支持材における前記連結ベルトとの連結部位に対し、前後方向で、前記供給口のエリアの一部を重ねて、
前記連結ベルトとの連結部位より上方に、前記供給口の開口周縁の上縁を位置させる上限側位置から、前記連結ベルトとの連結部位より下方に、前記供給口の開口周縁の下縁を位置させる下限側位置までの範囲内の高さ位置として、
前記区画壁に配設されていることを特徴とする請求項１に記載の自動二輪車用エアバッグ装置。
【発明の詳細な説明】
【技術分野】
【０００１】
本発明は、自動二輪車に搭載されて、衝突時の乗員を保護するためのエアバッグを備えて構成される自動二輪車用エアバッグ装置に関する。
【背景技術】
【０００２】
従来、自動二輪車用エアバッグ装置としては、膨張用ガスの流入時、シートに着座した乗員の左右の脚部の間付近の収納部位から上方側へ展開膨張して、前方側へ移動する乗員を受け止め可能に膨張を完了させるエアバッグ、を備えて構成されていた（例えば、特許文献１参照）。このエアバッグは、膨張用ガスを流入させるための流入用開口を有した底壁部を、収納部位に連結保持させて配設されていた。また、このエアバッグ装置では、膨張完了時のエアバッグの前面側を支持可能に、エアバッグの前方側に配置される支持材を備えていた。さらに、エアバッグ装置は、膨張完了時のエアバッグの外周側における前面側の上部と支持材の上部とを連結する連結ベルトを備えて構成されていた。
【０００３】
そして、エアバッグは、一次膨張バッグ部と二次膨張バッグ部とを備えて構成されていた。一次膨張バッグ部は、連結ベルトを利用して支持材を引き上げる駆動源としており、支持材を収納部位から上方へ突出させるように支持材を引き上げ可能に、エアバッグの膨張完了時の前面側に配置されるとともに前壁側の上部に連結ベルトを連結させて配設されて、膨張用ガスの流入当初時に最先に膨張を完了させるように構成されていた。二次膨張バッグ部は、膨張完了時の一次膨張バッグ部の周囲に配置されて、一次膨張バッグ部から膨張用ガスを流入させる供給口を有し、供給口からの膨張用ガスにより膨張を完了させて、一次膨張バッグ部と共に、エアバッグの膨張完了形状を構成していた。
【０００４】
このエアバッグ装置では、支持材の引き上げが、エアバッグを駆動源としており、エアバッグ装置自体をコンパクトに構成でき、さらに、エアバッグの容積の一部となる小容積として最先に膨張する一次膨張バッグ部によって、支持材の引き上げを行っており、エアバッグを支持する支持位置まで、すなわち、引き上げ完了位置まで、支持材を引き上げることを、エアバッグの全体の膨張完了前に行うことができた。
【特許文献１】特開２００７−１２５９８３号公報
【発明の開示】
【発明が解決しようとする課題】
【０００５】
しかし、従来の自動二輪車用エアバッグ装置では、二次膨張バッグ部を膨張させるために、一次膨張バッグ部と二次膨張バッグ部とを区画する区画壁には、一次膨張バッグ部から二次膨張バッグ部に膨張用ガスを流入させる供給口が開口されている。そのため、一次膨張バッグ部の膨張途中で、供給口から二次膨張バッグ部へ多量の膨張用ガスが流出すれば、迅速に、支持材が、引き上げ完了位置まで引き上げられず、そして、引き上げ完了位置までに時間を要すれば、支持材が、引き上げ完了位置に配置されない状態で、乗員を受け止めたエアバッグを支持する事態を招いて、支持材の支持性能が発揮できない虞れも生じてしまう。
【０００６】
本発明は、上述の課題を解決するものであり、一次膨張バッグ部が、迅速に支持材を引き上げ完了位置まで引き上げ可能な自動二輪車用エアバッグ装置を提供することを目的とする。
【課題を解決するための手段】
【０００７】
本発明に係る自動二輪車用エアバッグ装置は、膨張用ガスの流入時、シートに着座した乗員の左右の脚部の間付近の収納部位から上方側へ展開膨張して、前方側へ移動する乗員を受け止め可能に膨張を完了させ、膨張用ガスを流入させるための流入用開口を有した底壁部を、収納部位に連結保持させて配設されるエアバッグと、
膨張完了時のエアバッグの前面側を支持可能に、エアバッグの前方側に配置される支持材と、
を備えて構成されるとともに、
膨張完了時のエアバッグの外周側における前面側の上部と支持材の上部とを連結する連結ベルトが配設され、
エアバッグが、
連結ベルトを利用して支持材を引き上げる駆動源として、支持材を収納部位側から上方へ突出させるように支持材を引き上げ可能に、エアバッグの膨張完了時の前面側に配置されるとともに前壁側の上部に連結ベルトを連結させて配設され、かつ、流入用開口を配設させた底壁部を有して膨張用ガスの流入当初時に最先に膨張を完了させる一次膨張バッグ部と、
膨張完了時の一次膨張バッグ部の周囲に配置されて、一次膨張バッグ部から膨張用ガスを流入させる供給口を有し、供給口からの膨張用ガスにより膨張を完了させて、一次膨張バッグ部と共に、エアバッグの膨張完了形状を構成する二次膨張バッグ部と、
を備えて構成される自動二輪車用エアバッグ装置であって、
エアバッグの供給口が、一次膨張バッグ部と二次膨張用バッグ部とを区画する区画壁に配設されて、
供給口が、膨張完了時のエアバッグの底壁部からの高さ位置を、膨張完了時の一次膨張バッグ部の上端より下方であって、引き上げ完了時の支持材における連結ベルトとの連結部位と同等の高さ位置として、区画壁に配設されていることを特徴とする。
【０００８】
本発明に係る自動二輪車用エアバッグ装置では、作動時、エアバッグが、流入用開口から膨張用ガスを一次膨張バッグ部に流入させて、一次膨張バッグ部が膨張する。そして、一次膨張バッグ部は、底壁部から連結ベルトを連結させた上端付近まで、ある程度、膨張用ガスが充填されて、内圧が支持材を引き上げ可能な値まで上昇すれば、支持材の引き上げを開始する。さらに、支持材の引き上げ途中では、底壁部の流入用開口から流入する膨張用ガスによって、一次膨張バッグ部が、内圧を高めて、上昇しつつ膨張することとなり、上端付近に連結された連結ベルトを利用して、支持材を引き上げることとなる。
【０００９】
この時、一次膨張バッグ部の上端付近には、引き上げ完了時における支持材より上方の部位となって、かつ、供給口より上方の位置に、膨張用ガスの貯留されるガス溜り部が形成されて、そのガス溜り部を押し上げるように、一次膨張バッグ部の底壁部側から上端側にかけて、内圧が高まる状態が伝搬していき、その内圧の高まる部位の上昇に伴って、ガス溜り部が、押し上げられるように上昇し、支持材を引き上げ完了位置まで引き上げることとなる。
【００１０】
そのため、供給口が底壁部に近ければ、その低い位置の供給口から膨張用ガスが二次膨張バッグ部に漏れ、ガス溜り部を押し上げるように、一次膨張バッグ部の底壁部側から上端側にかけて、内圧が高まる状態を確保し難くなってしまうことから、支持材を迅速に引き上げることを考慮すれば、供給口は、底壁部から離れた一次膨張バッグ部の上端側に配置することが望ましい。
【００１１】
一方、供給口が、一次膨張バッグ部の上端自体に配置されていれば、その供給口から膨張用ガスが抜けて、ガス溜り部が形成されずに、一次膨張バッグ部の底壁部側から上端側にかけて内圧を順次高めて、ガス溜り部を押し上げること自体が不可能となってしまう。そのため、供給口の配置位置は、ガス溜り部を押し上げる状態を確保する上では、ガス溜り部となる一次膨張バッグ部の上端から、下方に離れた位置とすることが望ましい。
【００１２】
すなわち、本発明のように、膨張完了時のエアバッグの底壁部からの高さ位置を、膨張完了時の一次膨張バッグ部の上端より下方であって、引き上げ完了時の支持材における連結ベルトとの連結部位と同等の高さ位置として、供給口が区画壁に配設されていれば、供給口が一次膨張バッグ部の上端から下方に離れた位置に配置されており、支持材を引き上げるための支持材より上方位置に配置されるガス溜り部を、円滑に形成でき、かつ、供給口が一次膨張バッグ部の底壁部から上方に離れた位置に配置されており、ガス溜り部の押し上げを円滑に行えることとなる。
【００１３】
したがって、本発明に係る自動二輪車用エアバッグ装置では、作動時、支持材を引き上げるための供給口より上方のガス溜り部を、円滑に形成でき、かつ、円滑に押し上げることができることから、一次膨張バッグ部が、迅速に支持材を引き上げ完了位置まで引き上げることができることとなる。そして、支持材の引き上げが完了すれば、二次膨張バッグ部も供給口から膨張用ガスを流入させて迅速に膨張を完了させることから、作動直後に乗員が前進してきても、支持材によって支持されて膨張完了済みのエアバッグが、クッション性良く、乗員を受け止めることとなる。
【００１４】
なお、供給口を支持材の連結ベルトとの連結部位と同等の高さとする配置位置は、供給口の上下方向の中心位置を、引き上げ完了時の支持材における連結ベルトとの連結部位の上下方向の中心位置と一致させることが望ましいが、供給口は、支持材の連結ベルトとの連結部位から、若干、上下に外れてもよい。但し、供給口は、引き上げ完了時の支持材における連結ベルトとの連結部位に対し、前後方向で、供給口がそのエリアの一部を重ならせていることが望ましい。すなわち、この場合には、供給口は、その一部を支持材の連結ベルトとの連結部位に対して前後方向で重ねるようにして、支持材の連結ベルトとの連結部位より上方に、供給口の開口周縁の上縁を位置させる上限側位置から、支持材の連結ベルトとの連結部位より下方に、供給口の開口周縁の下縁を位置させる下限側位置までの範囲内の高さ位置として、区画壁に配設されることとなる。
【発明を実施するための最良の形態】
【００１５】
以下、本発明の実施形態を図面に基づいて説明すると、第１実施形態の自動二輪車用エアバッグ装置（以下、単にエアバッグ装置とする）１０は、図１に示すように、スクータ型の自動二輪車（以下、単に二輪車という）１に搭載されるものであり、この二輪車１は、乗員Ｄの着座するシート７とシート７の前方のハンドル５との間に、乗員Ｄの足部Ｆを載せるステップ６が配設され、エアバッグ装置１０は、シート７の前端付近に配設されている。
【００１６】
なお、本願の明細書等での前後左右の方向は、前進時の二輪車１を基準としており、二輪車１に着座した乗員Ｄの前後左右の方向と一致するものである。
【００１７】
エアバッグ装置１０は、図１〜３に示すように、エアバッグ１１、エアバッグ１１に膨張用ガスを供給するインフレーター４４、折り畳まれたエアバッグ１１を収納して保持するとともにインフレーター４４を保持するケース４８、膨張したエアバッグ１１の前面１１ｃ側を後面５７ｂ側で支持する支持材５７、支持材５７を引き上げるための連結ベルト（前側ベルト）３２、及び、エアバッグ１１の後面２１ａ側の下部に配置される後側ベルト３７、を備えて構成されている。
【００１８】
ケース４８は、折り畳まれたエアバッグ１１の収納部位を構成するものであり、上方を開口させた箱形状の板金製として、長方形板状の底壁部４９と、底壁部４９の外周縁付近から上方に延びる略四角筒形状の周壁部５０と、を備えて構成されている。底壁部４９には、インフレーター４４の本体部４５を下方から挿入させる円形の開口４９ａが形成されている。なお、ケース４８には、図示しない連結ブラケットが配設されて、この連結ブラケットが二輪車１のボディ（車体）２側のフレーム３から延びるブラケット４に連結固定されている（図１参照）。その結果、エアバッグ１１とインフレーター４４とを保持したケース４８が、シート７の前端付近における着座した乗員Ｄの左右の膝部Ｋ（ＫＬ，ＫＲ，図１４参照）間付近に配置されて、ボディ２側に連結固定されている。
【００１９】
インフレーター４４は、図２に示すように、上部側に複数のガス吐出口４５ａを備えた円柱状の本体部４５と、本体部４５の外周面から突出するフランジ部４６と、を備えて構成され、フランジ部４６が、ケース４８の底壁部４９の下面側に固定されている。
【００２０】
なお、エアバッグ１１の流入用開口１２ａの周縁には、四隅にボルト４１ａを備えた略四角環状のリテーナ４１が配置されている。そして、リテーナ４１のボルト４１ａを、エアバッグ１１の流入用開口１２ａの周縁、ケース４８の底壁部４９、及び、フランジ部４６に貫通させて、ナット４２止めすることにより、インフレーター４４のフランジ部４６が、エアバッグ１１とともに、ケース４８の底壁部４９に対して、固定されることとなる。
【００２１】
また、インフレーター４４は、図示しないリード線によって、二輪車１に搭載された図示しない制御回路に電気的に接続され、二輪車１に衝撃が作用した際、制御回路が、衝撃を検知した所定の検知センサからの信号を入力して、インフレーター４４に作動信号を出力することとなる。
【００２２】
エアバッグ１１は、図１〜６に示すように、膨張完了時の形状として、底壁部１２、前壁部１３、後壁部１４、左側壁部１５、右側壁部１６、及び、天井壁部１７を備えた略四角柱状としている。さらに具体的に説明すると、第１実施形態のエアバッグ１１は、膨張完了時の形状として、前方側から見た形状を、下部１１ｂ側より上部１１ａ側の左右方向の幅寸法を大きくする上広がりの略台形形状とするとともに、乗員Ｄを受け止める後面１１ｄを拘束面２２として、側方から見た形状を、下部１１ｂ側から上部１１ａ側に向かうにつれて、前後方向の厚さ寸法を後方側に増大させるテーパ形状として、構成されている。
【００２３】
そして、エアバッグ１１は、収納部位であるケース４８から突出して膨張を完了させた際、左右方向の幅寸法を、下部１１ｂ側が、シート７に着座した乗員Ｄの左右の大腿部ＴＬ，ＴＲ（図１４参照）間に配置可能とし、上部１１ａ側が、乗員Ｄの腰部Ｗと胸部Ｂとの拘束が可能な範囲で、かつ、シート７に着座した乗員Ｄの乗車姿勢で、乗員Ｄの左右の腕部Ａに干渉しない寸法として、設定されている。なお、第１実施形態の場合、上部１１ａ側は、左右方向の幅寸法として、乗員Ｄの腰部Ｗの左右方向の幅寸法と略等しくなるように、設定されている。
【００２４】
エアバッグ１１の底壁部１２には、膨張用ガスを流入させるための円形の流入用開口１２ａが形成されて、流入用開口１２ａの周縁には、リテーナ４１の各ボルト４１ａを挿通させる取付孔１２ｂ（図７，８参照）が、形成されている。この流入用開口１２ａの周縁は、リテーナ４１に押えられて、ケース４８の底壁部４９に取り付けられる取付固定部位１１ｅとなる（図２参照）。
【００２５】
そして、第１実施形態のエアバッグ１１は、区画壁１８によって、一次膨張バッグ部２０と二次膨張バッグ部２１との前後二室に、区画されている。一次膨張バッグ部２０は、前壁２０ａを前壁部１３の左右方向の中央部位１３ａと重ねて共用させる状態で、長方形状の底壁部１２の全域から上方に延びる略四角錐形状としており、区画壁１８は、横断面をコ字形として、「コ」の字の横棒の先端を前壁部１３に連ならせるように、配設されている。エアバッグ１１の膨張完了時、二次膨張バッグ部２１は、底壁部１２の部位を除いて、一次膨張バッグ部２０の後方と左右両側とを覆うように配設されている。そして、一次膨張バッグ部２０が、膨張用ガスの流入当初時に最先に膨張を完了させるように、二次膨張バッグ部２１は、一次膨張バッグ部２０に流入した膨張用ガスを利用して、膨張するように構成されている。すなわち、一次膨張バッグ部２０の後壁２０ｂにおける上端２０ｔ側の区画壁１８の部位に、円形に開口する供給口１９が配設され、一次膨張バッグ部２０が略膨張を完了させた後に、供給口１９から二次膨張バッグ部２１側へ流出する膨張用ガスにより、二次膨張バッグ部２１が膨張するように構成されている。
【００２６】
この供給口１９の配置は、膨張完了時のエアバッグ１１の底壁部１２からの高さ位置ＨＣ（底壁部１２から供給口１９の上下方向の中心１９ａまでの高さ寸法をＨＣとする位置）を、膨張完了時の一次膨張バッグ部２０の上端２０ｔより下方であって、引き上げ完了時の支持材５７における連結ベルト３２との連結部位５８ａと同等の高さ位置として、区画壁１８に配設されている（図１３参照）。なお、この供給口１９より上方の一次膨張バッグ部２０の上端２０ｔ側の部位（上端部）は、支持材５７の引き上げ時に、膨張用ガスを貯留させるガス溜り部２０ｃとなって、このガス溜り部２０ｃが、連結ベルト３２を連結させた一次膨張バッグ部２０の上端部として、流入用開口１２ａから流入する膨張用ガスに押し上げられ、支持材５７を引き上げることとなる（図１０，１１参照）。
【００２７】
さらに、第１実施形態のエアバッグ１１は、袋状のアウタバッグ２３内に袋状のインナバッグ２７を配設させて構成されている。アウタバッグ２３は、エアバッグ１１の膨張完了時の外周壁を構成しており、第１実施形態の場合、図７に示すように、一枚の第１基布２４と、二枚の第２基布２５，２５と、を備えて構成されている。第１基布２４は、底壁部１２、前壁部１３、後壁部１４、及び、天井壁部１７に配置される部位を備える長尺状として構成され、二枚の第２基布２５は、それぞれ、左側壁部１５と右側壁部１６とに配置される部位を構成している。そして、アウタバッグ２３は、第１基布２４の左右の左縁２４ａと右縁２４ｂとに、それぞれ、第２基布２５の外周縁２５ａを縫合して、形成されている。
【００２８】
インナバッグ２７は、アウタバッグ２３の内周側に配置されて、エアバッグ１１の底壁部１２、前壁部１３の左右方向の中央部位１３ａ、及び、区画壁１８に配置される部位を備えて構成されている。このインナバッグ２７は、帯状の第３基布２８の両端部２８ａ相互を重ねるように、二つ折りして、重ねた外周縁２８ｂ相互を縫合することにより形成されている。両端部２８ａは、それぞれ、半円板状としている。
【００２９】
なお、第１基布２４、第２基布２５、及び、第３基布２８は、可撓性を有したポリアミドやポリエステル等の織布から形成されている。
【００３０】
エアバッグ１１の製造は、まず、アウタバッグ２３を構成する第１基布２４におけるエアバッグ１１の内周面側の前壁部１３の中央部位１３ａに、インナバッグ２７の第３基布２８におけるエアバッグ１１の前壁部１３となる部位を、縫合して結合するように、結合部３０，３０を形成する。この結合部３０，３０は、上端３０ａを、連結ベルト３２の上端部３２ａを連結させる中央部位１３ａの上部１３ｂに配置させ、下端３０ｂを、底壁部１２の部位における流入用開口１２ａの周縁付近に配置させている。
【００３１】
そして、第１基布２４に第３基布２８を縫合して結合させた後、第１基布２４と第３基布２８との底壁部１２の部位に、流入用開口１２ａと取付孔１２ｂとを設けるように穴開け加工し、また、第３基布２８に、供給口１９を穴開け加工する。なお、これらの流入用開口１２ａ、取付孔１２ｂ、及び、供給口１９は、適宜、第１基布２４や第３基布２８に、予め形成しておいてもよい。さらに、図７に示すように、流入用開口１２ａの周縁には、取付孔１２ｃの配置エリアを含めて、補強布（図符号省略）を設けてもよい。
【００３２】
その後、第３基布２８の両端部２８ａ，２８ａを重ねて、重ねた外周縁２８ｂ相互を縫合して結合し、インナバッグ２７を形成する。そして、第１基布２４の左縁２４ａと右縁２４ｂとに、それぞれ、各第２基布２５の外周縁２５ａを縫合して結合すれば、エアバッグ１１を形成することができる。
【００３３】
なお、第１実施形態のエアバッグ１１では、インナバッグ２７自体を、帯状の第３基布２８を二つ折りして形成し、かつ、アウタバッグ２３とインナバッグ２７とにおける前壁部１３の左右方向の中央部位１３ａとなる部位相互が結合されて、構成されている。そのため、インナバッグ２７により形成される一次膨張バッグ部２０は、リテーナ４１を配置されて底壁部１２の部位が長方形状となって前後方向に幅広となり、そして、第３基布２８の両端部２８ａが、半円板状の先細り状とした状態で、相互に結合されて、インナバッグ２７の上端２７ａ側(ガス溜り部２０ｃ側、図１３参照）が前後方向に厚さを狭めることとなる。そしてさらに、そのインナバッグ２７が、アウタバッグ２３における前壁部１３の左右方向の中央部位１３ａに結合されることから、一次膨張バッグ部２０は、膨張完了形状として、後壁２０ｂを前壁２０ａに接近させつつ、上端２０ｔ側（ガス溜り部２０ｃ）の容積を狭めるような先細り形状として、構成されることとなる（図４，１２，１３参照）。
【００３４】
連結ベルト３２は、図２〜５に示すように、エアバッグ１１の前面１１ｃにおける前壁部１３の左右方向の中央部位１３ａの上部１３ｂ側に、上端部３２ａを縫合させて連結させている。連結ベルト３２は、可撓性を有したポリアミドやポリエステル等の二枚の織布を二枚重ねとして形成されている。そして、下端部３２ｂは、支持材５７の横棒部５８に連結させている。下端部３２ｂは、横棒部５８の左右方向の中央における円柱状の連結部位５８ａを包む二又状として、金属製の当板３３，３３で挟んで、当板３３，３３相互を、複数のボルト３４とナット３５とを利用して、結合させることにより、横棒部５８を包んで、横棒部５８の連結部位５８ａと連結されている。
【００３５】
この連結ベルト３２における上端部３２ａと下端部３２ｂとの間の長さ寸法ＬＦ（図２参照）は、折り畳まれて収納されているエアバッグ１１が、膨張用ガスを流入させて展開膨張する際、連結ベルト３２を利用して、ケース４８の前方で収納されている状態から支持材５７を引き上げ、膨張完了時のエアバッグ１１の前面１１ｃ側で、エアバッグ１１を支持できる高さ位置まで、支持材５７を引き上げることができるように、設定されている。
【００３６】
さらに、エアバッグ１１の後面１１ｄ側には、図２，４〜５に示すように、後側ベルト３７が、上端部３８を膨張完了時の後壁部１４の下部１４ａ側に連結させて、配設されている。後側ベルト３７は、下端部３９を、ケース４８の周壁部５０より後方に突出した底壁部４９の後端４９ｂに、連結させている。この後側ベルト３７は、可撓性を有したポリアミドやポリエステル等の織布から形成されて、後壁部１４の左右方向の中央の下部１４ａ側に、上端部３８を、縫合させて連結させ、下端部３９を、固定杆５２に連結させている（図２参照）。後側ベルト３７は、一枚の帯状の布材を二つ折りして、下端部３９側に折目を配置させて、上端部３８をエアバッグ１１に連結させている。そのため、下端部３９がループ状に形成されている。そして、ループ状の下端部３９には、固定杆５２が挿通されており、下端部３９が、固定杆５２の周りで揺動可能とするように、固定杆５２に巻き掛けられた状態で、固定杆５２に連結されている。
【００３７】
この後側ベルト３７における上端部３８と下端部３９との間における本体部３７ａの長さ寸法ＬＢ（図２参照）は、膨張完了時にエアバッグ１１の後面１１ｄ側の拘束面２２を乗員Ｄの受け止め位置に配置可能とし、かつ、膨張時のエアバッグ１１の上部１１ａ側の前方移動を規制可能とする長さ寸法としている。第１実施形態の場合、この長さ寸法ＬＢは、後側ベルト３７が、エアバッグ１１の膨張完了後だけでなく、膨張途中の状態においても、上端部３８のエアバッグ１１への連結部位１４ｂを利用して、一次膨張バッグ部２０の前方移動を規制できる寸法に設定されており、エアバッグ１１の膨張完了時には、上端部３８を連結させたエアバッグ１１の連結部位１４ｂを下方の固定杆５２側に引張る引張力を、強くするように、設定されている。すなわち、図２に示すように、後壁部１４の連結部位１４ｂの下方におけるケース４８近傍の下端部１４ｃが、後側ベルト３７によってタックを設けられるように長さを余すこととなって、後側ベルト３７側に膨らむ状態となるように、後側ベルト３７が、連結部位１４ｂに対して、下向きの引張力を作用させている。
【００３８】
固定杆５２は、図２に示すように、ケース４８の周壁部５０の後壁部５０ａより後方となる底壁部４９の後端４９ｂの上面４９ｃとの間に、隙間ｈを設けて、後端４９ｂに固定されている。この固定杆５２は、左右の両縁付近に上下方向に貫通する取付孔５３を配設させている。そして、固定杆５２は、固定杆５２と底壁部４９の上面４９ｃとの間に円筒状のカラー（図符号省略）を配置させ、ボルト５４を、取付孔５３とカラーとに挿通させて、底壁部４９の後端４９ｂに締め付けることにより、底壁部４９の後端４９ｂの上面４９ｃとの間に、後側ベルト３７の下端部３９を揺動させる隙間ｈを設けて、底壁部４９の後端４９ｂに取付固定されている。
【００３９】
支持材５７は、図２，３に示すように、ケース４８の前方側に隣接して配設され、第１実施形態の場合、左右方向に延びた横棒部５８と、横棒部５８の左右両端から下方に延びる縦棒部５９，５９と、を備えた逆Ｕ字形の一体構造としたパイプ材から、形成されている。この支持材５７は、縦棒部５９，５９が、それぞれ、案内スリーブ６１によって、上下動可能に保持されている。案内スリーブ６１は、ボディ２側のフレーム３から延びる図示しないブラケットに、固定されている。
【００４０】
なお、支持材５７は、左右方向の幅寸法を、乗員Ｄの両膝部ＫＬ，ＫＲ付近間から上方に突出可能に、構成されている。また、支持材５７の上方への突出を完了させたエアバッグ１１の支持位置（引き上げ完了位置）ＳＰへの配置時、上部５７ａの配置位置は、膨張を完了させたエアバッグ１１の上部１１ａの前面側を支持でき、かつ、後面５７ｂ側が上部１１ａによって覆われる位置、としている。
【００４１】
また、支持材５７とエアバッグ１１とは、収納状態で、シート７の前端側を構成しているカバー８によって覆われていることから、上方へ突出する際、このカバー８を押し開かせて、上方へ突出することとなる。
【００４２】
つぎに、エアバッグ装置１０の二輪車１への搭載の概略を述べると、先ず、エアバッグ１１を折り畳む。この折り畳みは、各ボルト４１ａを取付孔１２ｂから突出させるように、リテーナ４１をエアバッグ１１内に収納させた状態で、図８のＡに示すように、まず、前面１１ｃ側と後面１１ｄ側とを前後方向で重ねるように、平らに展開させる。この時、平らに展開させ易いように、中央付近の左右に、上下方向に沿うようなタック６４を設け、また、底壁部１２も、平らに重ねて展開させておく。なお、図８では、連結ベルト３２と後側ベルト３７とは、図示していないが、共に、上端部３２ａ，３８側が、既に、エアバッグ１１の所定部位に連結されている。
【００４３】
ついで、図８のＡ，Ｂに示すように、ケース４８の左右方向の幅寸法に対応するように、すなわち、ケース４８の左右方向の幅寸法より、僅かに小さくなるように、上下方向に沿う折目を付けて左右の幅寸法を小さくする左右縮小折りを行う。第１実施形態の場合、左右縮小折りは、ロール折りであり、平らに展開した展開エアバッグ６３の左右の縁６５，６６を、後面１１ｄ側で中央側に接近させて巻くように、行っている。ちなみに、第１実施形態では、縁６５，６６を後面１１ｄ側で巻いているが、縁６５，６６を前面１１ｃ側で巻くロール折りとしてもよい。
【００４４】
その後、ケース４８に収納できる前後方向の幅寸法となるように、左右方向の折目を付けて折り畳む前後縮小折りを行う。第１実施形態の場合の前後縮小折りは、左右縮小折り後の中間折りエアバッグ６７の上端６８を底壁部１２側に接近させるように、折り重ねる蛇腹折りにより、行っている。
【００４５】
なお、折り畳みを完了したエアバッグ１１は、折り崩れしないように、破断可能なラッピング材で包んでおく。ちなみに、連結ベルト３２と後側ベルト３７とは、下端部３２ｂ，３９側を、ラッピング材から突出させるとともに、リテーナ４１の各ボルト４１ａも、ラッピング材から突出させておき、さらに、エアバッグ１１の流入用開口１２ａも、インフレーター４４の本体部４５を挿入可能となるように、開口させておく。
【００４６】
そして、折り畳みを完了したエアバッグ１１は、各ボルト４１ａを底壁部４９から突出させるようにして、ケース４８内に収納し、各ボルト４１ａをフランジ部４６に挿通させつつ、ケース４８の底壁部４９の下方から、インフレーター４４の本体部４５を、開口４９ａ，１２ａに挿入させ、各ボルト４１ａにナット４２を締結する。
【００４７】
その後、後側ベルト３７のループ状の下端部３９に、固定杆５２を挿入させるとともに、左右の各取付孔５３とケース４８の上面４９ｃに配置させたカラー（図符号省略）とにボルト５４を挿入させて、各ボルト５４をケース４８の底壁部４９に締結して、固定杆５２をケース４８の底壁部４９に固定する。
【００４８】
そして、ケース４８を、図示しない連結ブラケットを利用して、ブラケット４に取り付けるとともに、当板３３、ボルト３４、及び、ナット３５を使用して、連結ベルト３２の下端部３２ｂを、フレーム３側に取り付け済みの支持材５７の横棒部５８における連結部位５８ａに連結する。
【００４９】
その後、インフレーター４４に、所定の作動信号を入力させるリード線を結線するとともに、シート７を装着すれば、エアバッグ装置１０を二輪車１に搭載することができる。
【００５０】
そして、この第１実施形態の二輪車１では、走行時に四輪自動車等と衝突して、エアバッグ装置１０が作動すれば、エアバッグ１１の流入用開口１２ａに挿入されたインフレーター４４が、各ガス吐出口４５ａから膨張用ガスを吐出させることから、膨張用ガスを流入させたエアバッグ１１は、図９〜１３や図１４に示すように、シート７に着座した乗員Ｄの左右の脚部ＬＬ・ＬＲの間付近の収納部位（ケース４８）から上方側へ展開膨張して、前方側へ移動する乗員Ｄの少なくとも腰部Ｗを拘束可能な形状に膨張を完了させる。
【００５１】
その際、エアバッグ１１は、流入用開口１２ａに挿入されたインフレーター４４から膨張用ガスＧを一次膨張バッグ部２０に流入させて、一次膨張バッグ部２０の膨張を最先に完了させるため、一次膨張バッグ部２０の前壁２０ａ側に連結された連結ベルト３２が、図９〜１１に示すように、一次膨張バッグ部２０の底壁部１２から上方へ延びるような展開膨張に伴い、上方へ移動し、連結ベルト３２を上部５７ａに連結させた支持材５７も、一次膨張バッグ部２０の上端２０ｔや連結ベルト３２の上昇に伴って、エアバッグ１１の支持位置となる引き上げ完了位置ＳＰまで引き上げられる。
【００５２】
この時、第１実施形態のエアバッグ装置１０では、一次膨張バッグ部２０の上端２０ｔ側には、引き上げ完了時における支持材５７より上方の部位となって、かつ、供給口１９より上方の位置に、膨張用ガスＧの貯留されるガス溜り部２０ｃが形成されて、そのガス溜り部２０ｃを押し上げるように、一次膨張バッグ部２０の底壁部１２側から上端２０ｔ側にかけて、内圧が高まる状態が伝搬していき、その内圧の高まる部位の上昇に伴って、ガス溜り部２０ｃが、押し上げられるように上昇し、支持材５７を引き上げ完了位置ＳＰまで引き上げることとなる（図９〜１１参照）。
【００５３】
そのため、供給口１９が底壁部１２に近ければ、その低い位置の供給口１９から膨張用ガスＧが二次膨張バッグ部２１に漏れ、ガス溜り部２０ｃを押し上げるように、一次膨張バッグ部２０の底壁部１２側から上端２０ｔ側にかけて、内圧が高まる状態を確保し難くなってしまうことから、支持材５７を迅速に引き上げることを考慮すれば、供給口１９は、底壁部１２から離れた一次膨張バッグ部２０の上端２０ｔ側に配置することが望ましい。
【００５４】
一方、供給口１９が、一次膨張バッグ部２０の上端（先端）２０ｔ自体に配置されていれば、その供給口１９から膨張用ガスＧが抜けて、ガス溜り部２０ｃが形成されずに、一次膨張バッグ部２０の底壁部１２側から上端２０ｔ側にかけて内圧を順次高めて、ガス溜り部２０ｃを押し上げること自体が不可能となってしまう。そのため、供給口１９の配置位置は、ガス溜り部２０ｃを押し上げる状態を確保する上では、ガス溜り部２０ｃとなる一次膨張バッグ部２０の上端２０ｔから、下方に離れた位置とすることが望ましい。
【００５５】
そのため、第１実施形態のように、膨張完了時のエアバッグ１１の底壁部１２からの高さ位置ＨＣを、膨張完了時の一次膨張バッグ部２０における上端２０ｔより下方であって、引き上げ完了時の支持材５７における連結ベルト３２との連結部位５８ａと同等の高さ位置として、供給口１９が区画壁１８に配設されていれば、供給口１９が一次膨張バッグ部２０の上端２０ｔから下方に離れた位置に配置されており、支持材５７を引き上げるための支持材５７より上方位置に配置されるガス溜り部２０ｃを、円滑に形成でき、かつ、供給口１９が一次膨張バッグ部２０の底壁部１２から上方に離れた位置に配置されており、ガス溜り部２０ｃの押し上げを円滑に行えることとなる。
【００５６】
したがって、第１実施形態のエアバッグ装置１０では、作動時、支持材５７を引き上げるための供給口１９より上方のガス溜り部２０ｃを、円滑に形成でき、かつ、円滑に押し上げることができることから、一次膨張バッグ部２０が、迅速に支持材５７を引き上げ完了位置まで引き上げることができることとなる。そして、支持材５７の引き上げが完了すれば、二次膨張バッグ部２１も供給口１９から膨張用ガスＧを流入させて迅速に膨張を完了させることから、作動直後に乗員Ｄが前進してきても、支持材５７によって支持されて膨張完了済みのエアバッグ１１が、クッション性良く、乗員Ｄを受け止めることとなる。
【００５７】
なお、供給口１９を支持材５７の連結ベルト３２との連結部位５８ａと同等の高さとする配置位置は、第１実施形態のように、供給口１９の上下方向の中心１９ａの位置を、引き上げ完了時の支持材５７における連結ベルト３２との連結部位５８ａの上下方向の中心５８ｂの位置と一致させることが望ましいが（図１３参照）、供給口１９が、連結部位５８ａの上方や下方に、若干、外れてもよい。但し、供給口１９は、引き上げ完了時の支持材５７における連結ベルト３２との連結部位５８ａに対し、前後方向で、供給口１９のエリア（開口面）の一部を重ならせることが望ましい。この場合には、図１５に示すように、連結ベルト３２との連結部位５８ａの上縁５８ｃより上方に、供給口１９Ｕの開口周縁の上縁１８ａを位置させ、かつ、下縁１８ｂを連結部位５８ａの上縁５８ｃより上方に位置させない状態とする上限側位置から、図１６に示すように、連結ベルト３２との連結部位５８ａの下縁５８ｄより下方に、供給口１９Ｄの開口周縁の下縁１８ｂを位置させ、かつ、上縁１８ａを連結部位５８ａの下縁５８ｄより下方に位置させない状態とする下限側位置までの範囲内の高さ位置ＨＵ，ＨＤとして、供給口１９Ｕ，１９Ｄは区画壁１８に配設させてもよい。
【００５８】
また、第１実施形態のエアバッグ装置１０では、作動時、エアバッグ１１が、折り畳み工程の逆の順序で、折りを解消して、展開膨張し、その際、先ず、膨張初期に、蛇腹折りの折りを解消することとなって、蛇腹折りの折りの解消は、ロール折りに比べて、折りを解消し易いことから、一次膨張バッグ部２０の膨張に伴って、直ちに、上端６８側である天井壁部１７における左右方向の中央１７ａ付近を、展開膨張完了位置付近に、配置させることができる。そしてその際、左右の縁６５，６６付近である左右の左側壁部１５と右側壁部１６付近は、折りを解消し難いロール折りとしているため、天井壁部１７の中央１７ａ付近がエアバッグ１１の展開膨張完了位置付近に配置された後、供給口１９から膨張用ガスＧを流入させる二次膨張バッグ部２１が、折りを解消して、後方側への膨張と同時に、左右側へ膨らんで、図１４のＡ，Ｂに示すように、エアバッグ１１は、左右方向の幅寸法を広げることとなる。そのため、エアバッグ１１は、展開膨張初期時、乗員Ｄの左右の大腿部ＴＬ，ＴＲの間の狭い隙間Ｈ（図１４参照）から、円滑に上方へ突出し、そしてその後、腰部Ｗを拘束できる左右方向の幅寸法を確保できるように、円滑に、左右方向に展開膨張することとができる。
【００５９】
さらに、第１実施形態では、エアバッグ１１は、図１１，１２に示すように、一次膨張バッグ部２０の上端２０ｔや二次膨張バッグ部２１の上端２１ｔが、引き上げ完了位置ＳＰに配置された支持材５７の上方に延びても、膨張時のエアバッグ１１の上部１１ａ側の前方移動を規制する長さ寸法ＬＢの後側ベルト３７が、エアバッグ１１の後面１１ｄ側と収納部位の後部側となるケース４８における底壁部４９の後端４９ｂ側とを連結している。そのため、エアバッグ１１の後面１１ｄ側が、後側ベルト３７により、ケース４８における底壁部４９の後端４９ｂ側の後下方側に引張られた状態となり、エアバッグ１１の上端１１ｔ側は、引き上げ完了位置ＳＰに配置された支持材５７の上部５７ａを乗り越えて前方側に突出する現象を、抑制される。そのため、エアバッグ１１は、二次膨張バッグ部２１が、一次膨張バッグ部２０の供給口１９から流入させる膨張用ガスＧにより、前後方向の揺動を抑制される。すなわち、エアバッグ１１は、図１２の二点鎖線に示す状態と一点鎖線に示す状態とを繰り返すような前後方向の揺動運動が、抑制されて、図１２の実線で示す状態から、図１３の二点鎖線に示す状態、さらに、図１３の実線に示す状態となるように、円滑に厚さを厚くするように膨張を完了させることとなり、その結果、前後方向に揺動させることなく、迅速に、拘束面２２を乗員Ｄに正対させることが可能となる。
【００６０】
そのため、膨張を完了させたエアバッグ１１は、引き上げ完了位置ＳＰに配置された支持材５７により、前方側への移動が規制されて、前方移動する乗員Ｄは、支持材５７に前面１１ｃ側を支持された状態のエアバッグ１１によって、腰部Ｗを拘束され、運動エネルギーを吸収されて、的確に保護されることとなる。
【００６１】
勿論、後側ベルト３７は、膨張完了時にエアバッグ１１の拘束面２２を乗員Ｄの受け止め位置に配置可能な長さ寸法ＬＢで設定されて、拘束面２２を引き下げたり傾けたりするように牽引しすぎることを抑制されており、換言すれば、膨張を完了させたエアバッグ１１の前面１１ｃ側を支持材５７の後面５７ｂから大きく離すような状態も抑制できることから、膨張完了後のエアバッグ１１は、支持材５７で支持された状態として、拘束面２２により、前進移動する乗員Ｄを支障なく、受け止めることができる。そして、エアバッグ１１が、乗員Ｄを受け止めて、前倒れしようとしても、後側ベルト３７が、エアバッグ１１の前倒れの後面（後壁）１１ｄに作用する引張力に対抗して、エアバッグ１１の底壁部１２を補強できるため、エアバッグ１１の底壁部１２における取付孔１２ｂの周縁の破損を、防止できる。
【００６２】
また、第１実施形態では、支持材５７を引き上げる駆動源を構成する一次膨張バッグ部２０が、底壁部１２から上方の連結ベルト３２との連結部位の上端２０ｔ側にかけて、後壁２０ｂを前壁２０ａに接近させつつ容積を狭める先細り形状として構成されており、上端２０ｔまで内圧を作用させて膨張を完了させる時間を、短くできる。そして、支持材５７の引き上げは、図９の二点鎖線から図１０に示すように、一次膨張バッグ部２０における底壁部１２から連結ベルト３２を連結させた一次膨張バッグ部２０の上端２０ｔ付近のガス溜り部２０ｃまで、ある程度、膨張用ガスＧが充填されて、内圧が支持材５７を引き上げ可能な値まで上昇すれば、開始されることから、引き上げ可能な内圧値までの達成時間を短縮できて、その結果、支持材５７の引き上げ開始が、エアバッグ装置１０の作動直後に迅速に行われることとなって、支持材５７自体の引き上げ完了位置ＳＰまでの引き上げが迅速に行えることとなる。
【００６３】
したがって、第１実施形態のエアバッグ装置１０では、膨張完了時のエアバッグ１１が、一定の厚さを確保して、迅速に、拘束面２２を乗員Ｄに対して正対させることができるとともに、さらに、一次膨張バッグ部２０の先細りの膨張完了形状によって、エアバッグ１１の支持位置（引き上げ完了位置）ＳＰへの支持材５７の配置自体も、迅速に行われているため、エアバッグ装置１０の作動後における乗員Ｄを受け止める拘束面２２を、素早く的確に、乗員Ｄの前方に配置させることもできる。
【００６４】
なお、第１実施形態のエアバッグ装置１０のエアバッグ１１では、一次膨張バッグ部２０の後方と左右両側とを囲むように、二次膨張バッグ部２１を設ける場合を示したが、図１７，１８に示す第２実施形態のエアバッグ装置１０Ａのように、前壁部１３の左右方向の中央部位１３ａの左右両側に、略上下方向に沿って後壁部１４や天井壁部１７まで延びて連結される二枚の区画壁１８Ａ，１８Ａを設けて、一次膨張バッグ部２０Ａの左右両側に二つの二次膨張バッグ部２１Ａ，２１Ａを設けた三室タイプのエアバッグ１１Ａを使用してもよい。このエアバッグ１１Ａでも、各区画壁１８Ａに設ける供給口１９Ａの配置は、膨張完了時のエアバッグ１１Ａの底壁部１２からの高さ位置ＨＣ（底壁部１２から供給口１９の上下方向の中心１９ａまでの高さ寸法をＨＣとする位置）を、膨張完了時の一次膨張バッグ部２０Ａの上端２０ｔから下方位置であって、引き上げ完了時の支持材５７における連結ベルト３２との連結部位５８ａと同等の高さ位置として、区画壁１８Ａに配設されている。この第２実施形態のエアバッグ装置１０Ａでは、エアバッグ１１Ａが、一次膨張バッグ部２０Ａの左右両側に二つの二次膨張バッグ部２１Ａ，２１Ａを設けた三室タイプとして、第１実施形態のエアバッグ１１と相違しているだけであり、他の構成は同様であり、第１実施形態と同様な部位、部材には、第１実施形態と同一の符号を付してある。この第２実施形態でも、第１実施形態と同様な作用・効果を得ることができる。
【００６５】
但し、第１実施形態では、第２実施形態に比べて、エアバッグ１１の二次膨張バッグ部２１が、膨張完了時の一次膨張バッグ部２０の左右両側と後方側とを覆うように配設されるとともに、一次膨張バッグ部２０の容積より大きな容積として（約５倍程度）、構成されている。そのため、第１実施形態では、エアバッグ１１の全体の容積の内の一次膨張バッグ部２０の容積の割合を、小さくすることができ、換言すれば、エアバッグ１１への膨張用ガスＧの流入当初に、一次膨張バッグ部２０を、内圧を高めて膨張完了させることが、一層、迅速に行えることとなる。その結果、第１実施形態のエアバッグ装置１０では、一層、素早く、支持材５７の引き上げ完了位置ＳＰへの配置を完了させることができ、膨張途中のエアバッグ１１に乗員Ｄが侵入してきても、ある程度の内圧を維持して膨張を完了させ、そして、支持材５７に前方を支持された一次膨張バッグ部２０で、その乗員Ｄを受け止めることが可能となる。
【００６６】
なお、第１実施形態では、エアバッグ１１の一次膨張バッグ部２０を、インナバッグ２７から形成した場合を示したが、アウタバッグ２３の内周側に、一枚状の区画壁を設けて、前壁部１３の左右方向の中央部位１３ａに、一次膨張バッグ部を形成してよい。但し、第１実施形態のような、アウタバッグ２３内に、袋状のインナバッグ２７を結合部３０を利用して結合させつつ、一次膨張バッグ部２０を形成する構造では、一次膨張バッグ部２０自体の気密性を確保し易く、容易に、一次膨張バッグ部２０を設けたエアバッグ１１を製造することができる。
【００６７】
さらに、支持材５７は、第１，２実施形態のような軽量化を図れる一体構造の逆Ｕ字形のパイプ材から形成せずに、複数のパイプ材等の剛性を有した金属等の棒材を連結して、形成したり、あるいは、金属等の板材から形成してもよい。
【００６８】
また、第１，２実施形態では、エアバッグ１１，１１Ａと支持材５７とをシート７の前端付近に収納した場合を示したが、作動時に、支持材に前面側を支持されて前方移動する乗員の腰部を拘束可能に、乗員の腰部の前方側に、腰部に近接して配置されれば、エアバッグと支持材とを、シート７より前方側のボディ２側に、収納させてもよい。
【００６９】
さらに、第１，２実施形態では、エアバッグ装置１０，１０Ａを、シート７の前端付近に搭載したが、タンデムシートの場合には、後席の前端付近にも、本発明のエアバッグ装置を搭載してもよい。
【００７０】
さらにまた、図例の場合には、エアバッグ装置１０を、スクータ型の二輪車１に搭載した場合を示したが、他のスポーツバイクタイプ等の自動二輪車に、本発明のエアバッグ装置を搭載してもよい。
【図面の簡単な説明】
【００７１】
【図１】本発明に係る第１実施形態の自動二輪車用エアバッグ装置を搭載した自動二輪車の側面図である。
【図２】第１実施形態のエアバッグ装置の前後方向に沿った概略部分断面図である。
【図３】第１実施形態のエアバッグ装置を前方側から見た概略説明図である。
【図４】第１実施形態のエアバッグ装置に使用するエアバッグを、リテーナを設けた状態で単独で膨張させた状態を示す斜視図である。
【図５】第１実施形態のエアバッグの膨張完了時の前後方向に沿った縦断面図であり、図４のＶ−Ｖ部位に対応する。
【図６】第１実施形態のエアバッグの膨張完了時の左右方向に沿った横断面図であり、図４のVI−VI部位に対応する。
【図７】第１実施形態のエアバッグに使用する構成材料を示す平面図である。
【図８】第１実施形態のエアバッグの折り畳み工程を説明する図である。
【図９】第１実施形態のエアバッグ装置の作動時を説明する前後方向に沿った縦断面図である。
【図１０】第１実施形態のエアバッグ装置の作動時を説明する前後方向に沿った縦断面図であり、図９の後の状態を示す。
【図１１】第１実施形態のエアバッグ装置の作動時を説明する前後方向に沿った縦断面図であり、図１０の後の状態を示す。
【図１２】第１実施形態のエアバッグ装置の作動時を説明する前後方向に沿った縦断面図であり、図１１の後の状態を示す。
【図１３】第１実施形態のエアバッグ装置の作動完了時を示す前後方向に沿った縦断面図である。
【図１４】第１実施形態のエアバッグ装置の作動時を前方側から見た概略説明図である。
【図１５】第１実施形態の変形例であり、供給口の配置を高くしたエアバッグを使用した作動時の状態を示す概略断面図である。
【図１６】第１実施形態の変形例であり、供給口の配置を低くしたエアバッグを使用した作動時の状態を示す概略断面図である。
【図１７】第２実施形態のエアバッグ装置の作動完了時を示す前後方向に沿った縦断面図である。
【図１８】第２実施形態のエアバッグ装置に使用するエアバッグを、リテーナを設けた状態で単独で膨張させた状態を示す斜視図である。
【符号の説明】
【００７２】
１…（自動）二輪車、
１０，１０Ａ…（自動二輪車用）エアバッグ装置、
１１，１１Ａ…エアバッグ、
１１ａ…上部、
１１ｃ…前面、
１１ｄ…後面、
１２…底壁部、
１２ａ…流入用開口、
１８ａ…（供給口の開口周縁の）上縁、
１８ｂ…（供給口の開口周縁の）下縁、
１９，１９Ａ，１９Ｕ，１９Ｄ…供給口、
２０，２０Ａ…一次膨張バッグ部、
２０ａ…前壁、
２０ｂ…後壁、
２１，２１Ａ…二次膨張バッグ部、
３２…連結ベルト、
４８…（収納部位）ケース、
５７…支持材、
５８ａ…連結部位、
ＬＬ，ＬＲ…脚部、
Ｄ…乗員。
【図１】
0004900255.tif 000002
【図２】
0004900255.tif 000003
【図３】
0004900255.tif 000004
【図４】
0004900255.tif 000005
【図５】
0004900255.tif 000006
【図６】
0004900255.tif 000007
【図７】
0004900255.tif 000008
【図８】
0004900255.tif 000009
【図９】
0004900255.tif 000010
【図１０】
0004900255.tif 000011
【図１１】
0004900255.tif 000012
【図１２】
0004900255.tif 000013
【図１３】
0004900255.tif 000014
【図１４】
0004900255.tif 000015
【図１５】
0004900255.tif 000016
【図１６】
0004900255.tif 000017
【図１７】
0004900255.tif 000018
【図１８】
0004900255.tif 000019